(57)【要約】【課題】ユーザが個別の端末によって個々のコンテンツを実行している場合であっても、同じ進行状況のユーザ間で情報の共有ができるシステムを提供すること。【解決手段】ユーザ情報共有装置１は、進行データＤＢ３１と、キーワード進行データＤＢ３２と、を有する。そして、ユーザ情報共有装置１は、ユーザの端末６０ａが個別に実行したコンテンツの進行データをクローリングし、収集したユーザごとの進行データを進行データＤＢ３１に記憶し、ユーザの端末６０ａからキーワードを受け付け、受け付けたキーワードに基づいて、キーワード進行データＤＢ３２を検索し、検索したキーワードに対応付けられた進行データを取得し、取得した進行データに基づいて、進行データＤＢ３１を検索し、検索した進行データに対応付けられたユーザの識別情報を取得し、取得したユーザの識別情報をユーザの端末６０ａに送信する。【選択図】図１
2010213843.tif 000002
【特許請求の範囲】
【請求項１】
ユーザの端末からの入力に基づいてユーザ情報を検索するユーザ情報共有装置であって、
前記ユーザの識別情報と、コンテンツの進行状況を示す進行データとを対応付けて記憶する進行データ記憶手段と、
前記進行データと、前記進行データを特徴付けるキーワードとを対応付けて記憶するキーワード進行データ記憶手段と、を有し、
前記ユーザの端末が個別に実行した前記コンテンツの前記進行データをクローリングし、収集したユーザごとの前記進行データを前記進行データ記憶手段に記憶する進行状況クローリング手段と、
前記ユーザの端末から前記キーワードを受け付けるキーワード受付手段と、
前記キーワード受付手段が受け付けた前記キーワードに基づいて、前記キーワード進行データ記憶手段を検索し、検索した前記キーワードに対応付けられた前記進行データを取得するキーワード検索手段と、
前記キーワード検索手段が取得した前記進行データに基づいて、前記進行データ記憶手段を検索し、検索した前記進行データに対応付けられた前記ユーザの識別情報を取得するユーザ検索手段と、
前記ユーザ検索手段が取得した前記ユーザの識別情報を前記ユーザの端末に送信するユーザリスト送信手段と、
を備えることを特徴とするユーザ情報共有装置。
【請求項２】
ユーザの識別情報と、コンテンツの進行状況を示す進行データとを対応付けて記憶する進行データ記憶手段と、前記進行データと、前記進行データを特徴付けるキーワードとを対応付けて記憶するキーワード進行データ記憶手段と、を有する装置において、ユーザの端末が実行するコンテンツの進行状況を管理する方法であって、
前記ユーザの端末が個別に実行した前記コンテンツの前記進行データをクローリングし、収集したユーザごとの前記進行データを前記進行データ記憶手段に記憶するステップと、
前記ユーザの端末から前記キーワードを受け付けるステップと、
前記受け付けた前記キーワードに基づいて、前記キーワード進行データ記憶手段を検索し、検索した前記キーワードに対応付けられた前記進行データを取得するステップと、
前記取得した前記進行データに基づいて、前記進行データ記憶手段を検索し、検索した前記進行データに対応付けられた前記ユーザの識別情報を取得するステップと、
前記取得した前記ユーザの識別情報を前記ユーザの端末に送信するステップと、
を備えることを特徴とする方法。
【発明の詳細な説明】
【技術分野】
【０００１】
本発明は、ユーザ情報共有装置及び方法に関する。
【背景技術】
【０００２】
近年、インターネットの普及と共に、インターネットを介して専用のサーバと、ユーザのパソコン等とを接続し、オンラインで同時に同じゲームを実行するネットワークゲームが普及している。
【０００３】
ネットワークゲームでは、同じゲームについて遊戯者間で情報を交換し、互いのノウハウを自慢しあったり、教え合ったりして、情報を共有し、ゲームを楽しむことができる。このようなネットワークゲームにおいて、ゲームを実行する端末装置間で遊戯者の個人情報を交換できるようにした特許文献１が知られている。
【０００４】
すなわち、特許文献１のネットワークゲームシステムでは、ゲーム装置の間でネットワークゲームアプリケーションを実行しているときに遊戯者間の個人情報を交換できる個人情報処理手段を各ゲーム装置に設けている。よって、特許文献１の発明は、ゲームの終了時やゲーム開始時に相手と個人情報処理手段を介して個人情報を名刺という形態で交換することができる。
【先行技術文献】
【特許文献】
【０００５】
【特許文献１】特開２００１−１８７２７３号公報
【発明の概要】
【発明が解決しようとする課題】
【０００６】
しかしながら、ネットワークゲームシステムのようにサーバが提供する１のゲームを複数のユーザが共有している場合はユーザ間で情報の共有ができるが、個別のゲーム機によって個々のソフトウェアでユーザがゲームを実行している場合は、同じゲーム、すなわち同じコンテンツで同じ進行状況であってもユーザ間で情報の共有はできない。
【０００７】
そこで、ユーザが実行するコンテンツが同じ場合は、個別の装置によって個々のソフトウェアでユーザが実行している場合であっても、同じ進行状況のユーザ間で情報の共有ができる装置が望まれている。
【０００８】
本発明は、ユーザが個別の端末によって個々のコンテンツを実行している場合であっても、同じコンテンツの同じ進行状況のユーザ間で情報の共有ができる装置及び方法を提供することを目的とする。
【課題を解決するための手段】
【０００９】
本発明では、以下のような解決手段を提供する。
【００１０】
（１）  ユーザの端末からの入力に基づいてユーザ情報を検索するユーザ情報共有装置であって、前記ユーザの識別情報と、コンテンツの進行状況を示す進行データとを対応付けて記憶する進行データ記憶手段と、前記進行データと、前記進行データを特徴付けるキーワードとを対応付けて記憶するキーワード進行データ記憶手段と、を有し、前記ユーザの端末が個別に実行した前記コンテンツの前記進行データをクローリングし、収集したユーザごとの前記進行データを前記進行データ記憶手段に記憶する進行状況クローリング手段と、前記ユーザの端末から前記キーワードを受け付けるキーワード受付手段と、前記キーワード受付手段が受け付けた前記キーワードに基づいて、前記キーワード進行データ記憶手段を検索し、検索した前記キーワードに対応付けられた前記進行データを取得するキーワード検索手段と、前記キーワード検索手段が取得した前記進行データに基づいて、前記進行データ記憶手段を検索し、検索した前記進行データに対応付けられた前記ユーザの識別情報を取得するユーザ検索手段と、前記ユーザ検索手段が取得した前記ユーザの識別情報を前記ユーザの端末に送信するユーザリスト送信手段と、を備えることを特徴とするユーザ情報共有装置。
【００１１】
（１）の構成によれば、本発明に係るユーザ情報共有装置は、ユーザの識別情報と、コンテンツの進行状況を示す進行データとを対応付けて記憶する進行データ記憶手段と、進行データと、進行データを特徴付けるキーワードとを対応付けて記憶するキーワード進行データ記憶手段と、を有する。そして、ユーザ情報共有装置は、ユーザの端末が個別に実行したコンテンツの進行データをクローリングし、収集したユーザごとの進行データを進行データ記憶手段に記憶し、ユーザの端末からキーワードを受け付け、受け付けたキーワードに基づいて、キーワード進行データ記憶手段を検索し、検索したキーワードに対応付けられた進行データを取得し、取得した進行データに基づいて、進行データ記憶手段を検索し、検索した進行データに対応付けられたユーザの識別情報を取得し、取得したユーザの識別情報をユーザの端末に送信する。
【００１２】
すなわち、本発明に係るユーザ情報共有装置は、ユーザの端末が個別に実行したコンテンツの進行状況をクローリングし、ユーザごとに記憶する。そして、進行状況を特徴付けるキーワードをユーザの端末から受け付け、受け付けたキーワードに対応付けられた進行状況に基づいて、ユーザの識別情報を取得し、取得したユーザの識別情報をユーザの端末に送信する。したがって、本発明に係るユーザ情報共有装置は、受け付けたキーワードに対応付けられたコンテンツの進行状況と同じ進行状況にあるユーザの識別情報を取得できるので、ユーザが個別の端末によって個々のコンテンツを実行している場合であっても、同じコンテンツの同じ進行状況のユーザ間で情報の共有ができる。
【００１３】
（２）  ユーザの識別情報と、コンテンツの進行状況を示す進行データとを対応付けて記憶する進行データ記憶手段と、前記進行データと、前記進行データを特徴付けるキーワードとを対応付けて記憶するキーワード進行データ記憶手段と、を有する装置において、ユーザの端末が実行するコンテンツの進行状況を管理する方法であって、前記ユーザの端末が個別に実行した前記コンテンツの前記進行データをクローリングし、収集したユーザごとの前記進行データを前記進行データ記憶手段に記憶するステップと、前記ユーザの端末から前記キーワードを受け付けるステップと、前記受け付けた前記キーワードに基づいて、前記キーワード進行データ記憶手段を検索し、検索した前記キーワードに対応付けられた前記進行データを取得するステップと、前記取得した前記進行データに基づいて、前記進行データ記憶手段を検索し、検索した前記進行データに対応付けられた前記ユーザの識別情報を取得するステップと、前記取得した前記ユーザの識別情報を前記ユーザの端末に送信するステップと、を備えることを特徴とする方法。
【００１４】
（２）の構成によれば、本発明に係る方法は、ユーザの識別情報と、コンテンツの進行状況を示す進行データとを対応付けて記憶する進行データ記憶手段と、進行データと、進行データを特徴付けるキーワードとを対応付けて記憶するキーワード進行データ記憶手段と、を有する装置において、ユーザの端末が実行するコンテンツの進行状況を管理する方法であって、ユーザの端末が個別に実行したコンテンツの進行データをクローリングし、収集したユーザごとの進行データを進行データ記憶手段に記憶し、ユーザの端末からキーワードを受け付け、受け付けたキーワードに基づいて、キーワード進行データ記憶手段を検索し、検索したキーワードに対応付けられた進行データを取得し、取得した進行データに基づいて、進行データ記憶手段を検索し、検索した進行データに対応付けられたユーザの識別情報を取得し、取得したユーザの識別情報をユーザの端末に送信する。したがって、本発明に係る方法は、受け付けたキーワードに対応付けられたコンテンツの進行状況と同じ進行状況にあるユーザの識別情報を取得できるので、ユーザが個別の端末によって個々のコンテンツを実行している場合であっても、同じコンテンツの同じ進行状況のユーザ間で情報の共有ができる。
【発明の効果】
【００１５】
本発明によれば、ユーザが個別の端末によって個々のコンテンツを実行している場合であっても、同じコンテンツの同じ進行状況のユーザ間で情報の共有ができる。
【図面の簡単な説明】
【００１６】
【図１】本発明の特徴を示すブロック図である。
【図２】本発明の一実施形態に係るユーザ情報共有装置１のハードウェア構成の一例を示す図である。
【図３】本発明の一実施形態に係るユーザ情報共有装置１の進行データＤＢ３１を示す図である。
【図４】本発明の一実施形態に係るユーザ情報共有装置１のキーワード進行データＤＢ３２を示す図である。
【図５】本発明の一実施形態に係るユーザ情報共有装置１が作成したユーザリストを示す図である。
【図６】本発明の一実施形態に係るユーザ情報共有装置１のクローリング処理を示すフローチャートである。
【図７】本発明の一実施形態に係るユーザ情報共有装置１のユーザ識別情報処理を示すフローチャートである。
【図８】本発明の一実施形態に係るユーザ情報共有装置１が送信したユーザのリストを、ユーザの端末６０ａが表示装置６１ａに表示する例を示す図である。
【図９】本発明の一実施形態に係るユーザ情報共有システム２の機能を示す機能ブロック図である。
【発明を実施するための形態】
【００１７】
以下、本発明の実施形態について図を参照しながら説明する。
［実施例１］
【００１８】
図１は、本発明の特徴を示すブロック図である。ユーザ情報共有装置１は、進行データ記憶手段として進行データＤＢ３１と、キーワード進行データ記憶手段としてキーワード進行データＤＢ３２と、進行状況クローリング手段として進行状況クローリング部１１と、キーワード受付手段としてキーワード受付部２１と、キーワード検索手段としてキーワード検索部２２と、ユーザ検索手段としてユーザ検索部２３と、ユーザリスト送信手段としてユーザリスト送信部２４と、を備え、ユーザの端末６０ａからの入力に基づいてユーザ情報を検索する。ユーザの端末６０ａは、デジタルコンテンツを実行する端末であって、コンピュータネットワーク（図示せず）に接続されるパソコン（Ｐｅｒｓｏｎａｌ  Ｃｏｍｐｕｔｅｒ）、ゲーム機、携帯電話、携帯情報端末（Ｐｅｒｓｏｎａｌ  Ｄｉｇｉｔａｌ  Ａｓｓｉｓｔａｎｔ）等であってよい。なお、ユーザの端末６０ａは、ネットワークに接続された複数のユーザの端末を表している。
【００１９】
進行データＤＢ３１は、ユーザの識別情報と、コンテンツの進行状況を示す進行データとを対応付けて記憶する。ユーザの識別情報は、例えば、ユーザのメールアドレス等を含む。コンテンツの進行状況は、例えば、コンテンツがゲーム等である場合には、ゲームの進行状況を示す、ゲームの場面名や登場キャラクタ等を含む。コンテンツがデジタル小説等である場合には、読書の進行状況を示す、章のタイトル名や登場人物等を含む。コンテンツが映画や美術等である場合には、鑑賞の進行状況を示す、シリーズ物の番号や作者名等を含む。進行データは、コンテンツ種別と、コンテンツの進行状況を識別するための進行状況ＩＤとを含む。
【００２０】
キーワード進行データＤＢ３２は、進行データと、進行データを特徴付けるキーワードとを対応付けて記憶する。コンテンツの進行状況を示す進行データを特徴付けるキーワードは、例えば、ゲームの場面名や登場キャラクタ、章のタイトル名や登場人物、シリーズ物の番号や作者名等を含む。
【００２１】
進行状況クローリング部１１は、ユーザの端末が個別に実行したコンテンツの進行データをクローリングし、収集したユーザごとの進行データを進行データＤＢ３１に記憶する。クローリングは、ユーザ情報共有装置１が管理するコンテンツを対象として、定期的に自動巡回し、ユーザの端末が個別に実行したコンテンツの進行状況を収集する。また、進行状況クローリング部１１は、ユーザの端末がコンテンツを終了した時点の進行データをも収集する。そして、進行状況クローリング部１１は、収集したコンテンツの進行状況を示す進行データ（例えば、コンテンツ種別及び進行状況ＩＤ）を、ユーザごとに対応付けて進行データＤＢ３１に記憶する（後述する図３参照）。
【００２２】
キーワード受付部２１は、ユーザの端末６０ａからキーワードを受け付ける。受け付けるキーワードは、進行データを特徴付けるキーワードである。例えば、キーワードは、ゲーム名及び当該ゲーム内の場面名である。また、キーワードは、コンテンツの種別を特定できる場合は、例えばゲーム内の場面名のみであってもよい。
【００２３】
キーワード検索部２２は、キーワード受付部２１が受け付けたキーワードに基づいて、キーワード進行データＤＢ３２を検索し、検索したキーワードに対応付けられた進行データを取得する。例えば、キーワードがコンテンツ種別及び当該コンテンツ内の進行状況を示すタイトル名等である場合には、入力されたキーワードに基づいて、キーワード進行データＤＢ３２を検索し、入力されたキーワードと同一のコンテンツ種別及びタイトル名に対応する進行データを取得する。
【００２４】
ユーザ検索部２３は、キーワード検索部２２が取得した進行データに基づいて、進行データＤＢ３１を検索し、検索した進行データに対応付けられたユーザの識別情報を取得する。
【００２５】
ユーザリスト送信部２４は、ユーザ検索部２３が取得したユーザの識別情報をユーザの端末６０ａに送信する。送信するユーザの識別情報は、ユーザを特定することができる情報であって、ペンネーム等の仮の氏名であってよい。送信する情報は、名前やメールアドレス等のいわゆる個人情報ではないので、ユーザは安心して本発明を利用することができる。
【００２６】
図２は、本発明の一実施形態に係るユーザ情報共有装置１のハードウェア構成の一例を示す図である。
【００２７】
ユーザ情報共有装置１は、制御部１０００を構成するＣＰＵ（Ｃｅｎｔｒａｌ  Ｐｒｏｃｅｓｓｉｎｇ  Ｕｎｉｔ）１０１０（マルチプロセッサ構成ではＣＰＵ＿Ａ１０１２等複数のＣＰＵが追加されてもよい）、バスライン１００５、通信Ｉ／Ｆ１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、Ｉ／Ｏコントローラ１０７０、ハードディスク１０７４、光ディスクドライブ１０７６、半導体メモリ１０７８、表示装置１０８０並びに入力装置１０９０を備える。
【００２８】
制御部１０００は、ユーザ情報共有装置１を統括的に制御する部分であり、ハードディスク１０７４に記憶された各種プログラムを適宜読み出して実行することにより、上述したハードウェアと協働し、本発明に係る各種機能を実現している。
【００２９】
通信Ｉ／Ｆ１０４０は、ユーザ情報共有装置１を専用ネットワーク又は公共ネットワークを介して他のサーバ等と接続できるようにするためのネットワーク・アダプタである。通信Ｉ／Ｆ１０４０は、モデム、ケーブル・モデム及びイーサネット（登録商標）・アダプタを含んでよい。
【００３０】
ＢＩＯＳ１０６０は、ユーザ情報共有装置１の起動時にＣＰＵ１０１０が実行するブートプログラムや、ユーザ情報共有装置１のハードウェアに依存するプログラム等を格納する。
【００３１】
Ｉ／Ｏコントローラ１０７０には、ハードディスク１０７４、光ディスクドライブ１０７６、半導体メモリ１０７８等の記憶手段を接続することができる。
【００３２】
ハードディスク１０７４は、ユーザ情報共有装置１が本発明の機能を実行するためのプログラムを記憶しており、進行データＤＢ３１等のデータベース等を記憶している。
【００３３】
光ディスクドライブ１０７６としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１０７７を使用する。光ディスク１０７７から光ディスクドライブ１０７６によりプログラム又はデータを読み取り、Ｉ／Ｏコントローラ１０７０を介してメインメモリ１０５０又はハードディスク１０７４に提供することもできる。
【００３４】
ユーザ情報共有装置１に提供されるプログラムは、ハードディスク１０７４、光ディスク１０７７、又はメモリカード等の記録媒体に格納されて提供される。このプログラムは、Ｉ／Ｏコントローラ１０７０を介して、記録媒体から読み出され、又は通信Ｉ／Ｆ１０４０を介してダウンロードされることによって、ユーザ情報共有装置１にインストールされ実行されてもよい。
【００３５】
表示装置１０８０は、ユーザ情報共有装置１による演算処理結果の画面等を表示するものであり、ブラウン管表示装置（ＣＲＴ）、液晶表示装置（ＬＣＤ）等のディスプレイ装置を含む。
【００３６】
入力装置１０９０は、ユーザ情報共有装置１への入力の受け付けを行うものであり、キーボード及びマウス等で構成される。
【００３７】
図３は、本発明の一実施形態に係るユーザ情報共有装置１の進行データＤＢ３１を示す図である。進行データＤＢ３１は、ユーザの識別情報であるユーザＩＤ及びユーザ情報と、進行データであるコンテンツ種別及び進行状況ＩＤと、を対応付けて記憶している。ユーザＩＤは、ユーザを識別する情報であり、ユーザ情報は、ユーザの表示用の名前やメールアドレス情報等の個人情報である。これらのユーザの識別情報は、予め登録されている。コンテンツ種別は、ユーザの端末６０ａが実行しているコンテンツの種別であり、進行状況ＩＤは、コンテンツの進行状況を示す情報である。ユーザ情報共有装置１は、ユーザの識別情報に基づいてユーザの端末６０ａをクローリングし、取得した進行データを進行データＤＢ３１に記憶する。
【００３８】
図４は、本発明の一実施形態に係るユーザ情報共有装置１のキーワード進行データＤＢ３２を示す図である。キーワード進行データＤＢ３２は、進行データであるコンテンツ種別及び進行状況ＩＤと、キーワードとを対応付けて記憶している。例えば、ユーザ情報共有装置１は、受け付けたキーワード「赤壁」に基づいて、キーワード進行データＤＢ３２を検索し、コンテンツがゲームＳ及び進行状況ＩＤ「０４３３」を取得することができる。
【００３９】
図５は、本発明の一実施形態に係るユーザ情報共有装置１が作成したユーザリストを示す図である。ユーザリストは、進行データに基づいて進行データＤＢ３１を検索し、検索した進行データに対応付けられたユーザＩＤ及びユーザ情報を、キーワードを入力したユーザごとに記憶している。ユーザ情報共有装置１は、キーワードを入力したユーザと、キーワードを入力したユーザによって選択されたユーザとの通信を、ユーザリストのユーザ情報に基づいて行う。
【００４０】
図６は、本発明の一実施形態に係るユーザ情報共有装置１のクローリング処理を示すフローチャートである。なお、本処理は、プログラム開始指令を受けて処理を開始し、プログラムを実行し終了する。
【００４１】
ステップＳ１０１において、ＣＰＵ１０１０は、コンテンツの進行状況をクローリングする。より具体的には、ＣＰＵ１０１０は、ユーザの端末６０ａをクローリングの対象とし、定期的に自動巡回し、ユーザの端末６０ａが実行しているコンテンツの進行データを収集する。その後、ＣＰＵ１０１０は、処理をステップＳ１０２に移す。
【００４２】
ステップＳ１０２において、ＣＰＵ１０１０は、クローリングした進行状況をユーザに対応付けて記憶する。より具体的には、ＣＰＵ１０１０は、収集したコンテンツ種別及び進行状況ＩＤをユーザの識別情報に対応付けて進行データＤＢ３１に記憶する。その後、ＣＰＵ１０１０は、処理を終了する。
【００４３】
図７は、本発明の一実施形態に係るユーザ情報共有装置１のユーザ識別情報処理を示すフローチャートである。なお、本処理は、プログラム開始指令を受けて処理を開始し、プログラムを実行し終了する。
【００４４】
ステップＳ２０１において、ＣＰＵ１０１０は、キーワードを受け付ける。より具体的には、ＣＰＵ１０１０は、ユーザの端末６０ａからユーザによって入力されたキーワードを受信し、受信したユーザのユーザＩＤを記憶する。その後、ＣＰＵ１０１０は、処理をステップＳ２０２に移す。
【００４５】
ステップＳ２０２において、ＣＰＵ１０１０は、受け付けたキーワードに基づいて進行データを取得する。より具体的には、ＣＰＵ１０１０は、キーワードに基づいてキーワード進行データＤＢ３２を検索し、検索したキーワードに対応付けられた進行データ（例えば、コンテンツ種別及び進行状況ＩＤ）を取得する。その後、ＣＰＵ１０１０は、処理をステップＳ２０３に移す。
【００４６】
ステップＳ２０３において、ＣＰＵ１０１０は、進行データに基づいてユーザの識別情報を取得する。より具体的には、ＣＰＵ１０１０は、取得した進行データであるコンテンツ種別及び進行状況ＩＤに基づいて進行データＤＢ３１を検索し、検索したコンテンツ種別及び進行状況ＩＤに対応付けられたユーザＩＤ及びユーザ情報を取得し、記憶する。その後、ＣＰＵ１０１０は、処理をステップＳ２０４に移す。
【００４７】
ステップＳ２０４において、ＣＰＵ１０１０は、取得したユーザの識別情報であるユーザＩＤ及びユーザ情報に基づいてユーザのリストを作成し、作成したユーザのリストを、ステップＳ２０１で記憶したユーザＩＤに基づいてユーザの端末６０ａに送信する。その後、ＣＰＵ１０１０は、処理を終了する。
【００４８】
図８は、本発明の一実施形態に係るユーザ情報共有装置１が送信したユーザのリストを、ユーザの端末６０ａが表示装置６１ａに表示する例を示す図である。
【００４９】
図８に示すように、ユーザの端末６０ａの表示装置６１ａのキーワード入力欄１０１に、ユーザによってキーワード「赤壁」が入力されたことを示している。そして、ユーザ情報共有装置１は、入力されたキーワード「赤壁」に基づいて、キーワード進行データＤＢ３２を検索し、検索した「赤壁」に対応付けられたゲームＳ及び進行状況ＩＤ「０４３３」を取得し、取得した進行データに基づいて、進行データＤＢ３１を検索し、ユーザ情報「ＳＵＭ」、「ＫＥＮ」、「ＴＡＲＯ」を取得し、ユーザの端末６０ａに送信した結果、図８は、ユーザの端末６０ａが表示装置６１ａのユーザリスト欄１０２にユーザの情報を表示していることを示している。そして、ユーザリスト欄１０２の「メールの指定」において、「メールする」の下線は、ユーザによって「ＫＥＮ」及び「ＴＡＲＯ」との電子メールを行う選択がされたことを示し、「しない」の下線は、ユーザによって「ＳＵＭ」との電子メールを行わない選択がされたことを示している。
【００５０】
実施例１によれば、本発明に係るユーザ情報共有装置１は、ユーザの識別情報と、コンテンツの進行状況を示す進行データとを対応付けて記憶する進行データＤＢ３１と、進行データと、進行データを特徴付けるキーワードとを対応付けて記憶するキーワード進行データＤＢ３２と、を有する。ユーザ情報共有装置１は、ユーザの端末が個別に実行したコンテンツの進行データをクローリングし、収集したユーザごとの進行データを進行データＤＢ３１に記憶する。そして、ユーザ情報共有装置１は、ユーザの端末６０ａからキーワードを受け付け、受け付けたキーワードに基づいて、キーワード進行データＤＢ３２を検索し、検索したキーワードに対応付けられた進行データを取得し、取得した進行データに基づいて、進行データＤＢ３１を検索し、検索した進行データに対応付けられたユーザの識別情報を取得し、取得したユーザの識別情報をユーザの端末６０ａに送信する。したがって、本発明に係るユーザ情報共有装置１は、受け付けたキーワードに対応付けられたコンテンツの進行状況と同じ進行状況にあるユーザの識別情報を取得できるので、ユーザが個別の端末６０ａによって個々のコンテンツを実行している場合であっても、同じコンテンツの同じ進行状況のユーザ間で情報の共有ができる。
【００５１】
実施例１では、同じコンテンツの例として同じゲームを実施例としたが、同じゲームに限るものではない。ゲーム、小説等のメディアが異なっていてもコンテンツが同一であれば、入力されたキーワードに基づいて、進行データを取得し、取得した進行データに基づいてユーザ情報を取得するので、同じ進行状況のユーザ間で情報の共有ができる。
［実施例２］
【００５２】
図９は、本発明の一実施形態に係るユーザ情報共有システム２の機能を示す機能ブロック図である。ユーザ情報共有システム２は、ユーザの端末６０ａ，６０ｂをクローリングするコンテンツ管理サーバ１０と、ユーザの端末６０ａ，６０ｂからのキーワードの入力に基づいてユーザ情報を取得するユーザ情報検索サーバ２０とが、コンピュータネットワーク７０（インターネット、ＬＡＮ、ＷＡＮ等）を介して構成される。コンテンツ管理サーバ１０及びユーザ情報検索サーバ２０のハードウェア構成は、図２のユーザ情報共有装置１のハードウェア構成の一例を示す図と同様の図で表されるので、説明を省略する。
【００５３】
コンテンツ管理サーバ１０は、ユーザの端末６０ａ，６０ｂが実行するコンテンツを管理し、進行データＤＢ３１と、進行状況クローリング部１１とを備えている。そして、ユーザ情報共有装置１のクローリング処理と同様に、進行状況クローリング部１１は、コンピュータネットワーク７０を介して、ユーザの端末６０ａ，６０ｂが個別に実行したコンテンツの進行状況をクローリングし、収集したユーザごとの進行データを進行データＤＢ３１に記憶する。
【００５４】
ユーザ情報検索サーバ２０は、キーワード進行データＤＢ３２と、キーワード受付部２１と、キーワード検索部２２と、ユーザ検索部２３と、ユーザリスト送信部２４と、を備えている。そして、ユーザ情報共有装置１のユーザ識別情報処理と同様に、コンピュータネットワーク７０を介して接続されたユーザの端末６０ａ，６０ｂからキーワード受付部２１がキーワードを受け付け、受け付けたキーワードに基づいてキーワード検索部２２がキーワード進行データＤＢ３２を検索し、検索したキーワードに対応付けられた進行データを取得し、取得した進行データに基づいてユーザ検索部２３が、コンピュータネットワーク７０を介して、コンテンツ管理サーバ１０に対し検索を要求し、コンテンツ管理サーバ１０から検索結果である、進行データに対応付けられたユーザの識別情報を取得する。そして、取得したユーザの識別情報をユーザリスト送信部２４がコンピュータネットワーク７０を介してユーザの端末６０ａ，６０ｂに送信する。ユーザの端末６０ａ，６０ｂは、受信したユーザの識別情報を表示装置６１ａ，６１ｂに表示する（前述の図８参照）。
【００５５】
実施例２によれば、本発明に係るユーザ情報共有システム２は、ユーザの端末６０ａ，６０ｂが実行するコンテンツを管理するコンテンツ管理サーバ１０と、ユーザの端末６０ａ，６０ｂからの入力により検索するユーザ情報検索サーバ２０とを有し、コンテンツ管理サーバ１０は、ユーザの識別情報と、コンテンツの進行状況を示す進行データとを対応付けて記憶する進行データＤＢ３１を備え、ユーザの端末６０ａ，６０ｂが個別に実行したコンテンツの進行データをクローリングし、収集したユーザごとの進行データを進行データＤＢ３１に記憶する。ユーザ情報検索サーバ２０は、進行データと、進行データを特徴付けるキーワードとを対応付けて記憶するキーワード進行データＤＢ３２を備え、ユーザの端末６０ａ，６０ｂからキーワードを受け付け、受け付けたキーワードに基づいて、キーワード進行データＤＢ３２を検索し、検索したキーワードに対応付けられた進行データを取得し、取得した進行データに基づいて、コンテンツ管理サーバ１０の進行データＤＢ３１を検索し、検索した進行データに対応付けられたユーザの識別情報を取得し、取得したユーザの識別情報をユーザの端末６０ａ，６０ｂに送信する。したがって、本発明に係るユーザ情報共有システム２は、受け付けたキーワードに対応付けられたコンテンツの進行状況と同じ進行状況にあるユーザの識別情報を取得できるので、ユーザが個別の端末６０ａ，６０ｂによって個々のコンテンツを実行している場合であっても、同じコンテンツの同じ進行状況のユーザ間で情報の共有ができる。
【００５６】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【符号の説明】
【００５７】
１      ユーザ情報共有装置
２      ユーザ情報共有システム
１０    コンテンツ管理サーバ
１１    進行状況クローリング部
２０    ユーザ情報検索サーバ
２１    キーワード受付部
２２    キーワード検索部
２３    ユーザ検索部
２４    ユーザリスト送信部
３１    進行データＤＢ
３２    キーワード進行データＤＢ
【図１】
2010213843.tif 000003
【図２】
2010213843.tif 000004
【図３】
2010213843.tif 000005
【図４】
2010213843.tif 000006
【図５】
2010213843.tif 000007
【図６】
2010213843.tif 000008
【図７】
2010213843.tif 000009
【図８】
2010213843.tif 000010
【図９】
2010213843.tif 000011